(57)【要約】【課題】子機、人感センサ付カメラあるいは共用部カメラが撮像する時に、撮像を開始した機器のスピーカから擬似シャッター音を出力させることでセキュリティ性を向上させる。【解決手段】玄関に設置され、親機呼び出しのため訪問者により操作される呼出ボタン１０１、通話のための子機マイク１０２、子機スピーカ１０３を有する子機１０と、室内に設置され、子機１０から呼び出され、応答して通話するための親機マイク２０２、親機スピーカ２０３を有する親機２０とを設け、親機２０は、子機１０で呼出ボタン１０１が操作されたとき子機スピーカ１０３から、訪問者にカメラ撮像を意識させるための擬似シャッター音を出力する擬似シャッター音出力手段２０８を備えている。【選択図】図１
2007067794.tif 000002
【特許請求の範囲】
【請求項１】
玄関に設置され、親機呼び出しのため訪問者により操作される呼出ボタン（１０１）、通話のための子機マイク（１０２）、子機スピーカ（１０３）を有する子機（１０）と、室内に設置され、前記子機から呼び出され、応答して通話するための親機マイク（２０２）、親機スピーカ（２０３）を有する親機（２０）とを設け、
前記親機は、前記子機で前記呼出ボタンが操作されたとき前記子機スピーカから、前記訪問者にカメラ撮像を意識させるための擬似シャッター音を出力する擬似シャッター音出力手段（２０８）を備えたことを特徴とするインターホンシステム。
【請求項２】
玄関に設置され、親機呼び出しのため訪問者により操作される呼出ボタン（１０１）、通話のための子機マイク（１０２）、子機スピーカ（１０３）を有する子機（１０）と、室内に設置され、前記子機から呼び出され、応答して通話するための親機マイク（２０２）、親機スピーカ（２０３）を有する親機（２０）とを設け、
前記親機は、前記親機の子機用モニタボタン（２１０）を操作したとき前記子機スピーカから、前記訪問者にカメラ撮像を意識させるための擬似シャッター音を出力する擬似シャッター音出力手段（２０８）を備えたことを特徴とするインターホンシステム。
【請求項３】
玄関に設置され、親機呼び出しのため訪問者により操作される呼出ボタン（１０１）、通話のための子機マイク（１０２）、子機スピーカ（１０３）を有する子機（１０）と、室内に設置され、前記子機から呼び出され、応答して通話するための親機マイク（２０２）、親機スピーカ（２０３）を有する親機（２０）とを設け、
前記子機には人感センサ（１０４）を備え、
前記親機は、前記子機の前記人感センサが感知したとき前記子機スピーカから、前記訪問者にカメラ撮像を意識させるための擬似シャッター音を出力する擬似シャッター音出力手段（２０８）を備えたことを特徴とするインターホンシステム。
【請求項４】
前記人感センサが所定時間以上感知したとき前記擬似シャッター音出力手段により擬似シャッター音を出力することを特徴とする請求項３記載のインターホンシステム。
【請求項５】
玄関に設置され、親機呼び出しのため訪問者により操作される呼出ボタン（１０１）、通話のための子機マイク（１０２）、子機スピーカ（１０３）を有する子機（１０）と、室内に設置され、前記子機から呼び出され、応答して通話するための親機マイク（２０２）、親機スピーカ（２０３）を有する親機（２０）と、人感センサ付カメラ（３０）とを設け、
前記親機は、人感センサ付カメラ用モニタボタン（２１０）を操作したとき前記人感センサ付カメラのスピーカ（３０１）から、前記訪問者にカメラ撮像を意識させるための擬似シャッター音を出力する擬似シャッター音出力手段（２０８）を備えたことを特徴とするインターホンシステム。
【請求項６】
玄関に設置され、親機呼び出しのため訪問者により操作される呼出ボタン（１０１）、通話のための子機マイク（１０２）、子機スピーカ（１０３）を有する子機（１０）と、室内に設置され、前記子機から呼び出され、応答して通話するための親機マイク（２０２）、親機スピーカ（２０３）を有する親機（２０）と、人感センサ付カメラ（３０）とを設け、
前記親機は、前記人感センサ付カメラの人感センサ（３０２）が感知したとき前記人感センサ付カメラのスピーカ（３０１）から、前記訪問者にカメラ撮像を意識させるための擬似シャッター音を出力する擬似シャッター音出力手段（２０８）を備えたことを特徴とするインターホンシステム。
【請求項７】
前記人感センサが所定時間以上感知したとき前記擬似シャッター音出力手段により擬似シャッター音を出力することを特徴とする請求項６記載のインターホンシステム。
【請求項８】
エントランスに設置され、訪問者により操作される操作部（５０２）、通話のための集合玄関マイク（５０３）、集合玄関スピーカ（５０４）を有する集合玄関機（５０）と、室内に設置され前記集合玄関機から呼び出され、応答して通話するための居室親機マイク（４０１）、居室親機スピーカ（４０２）を有する居室親機（４０）と、管理室に設置され前記集合玄関機または前記居室親機と通話のための管理室親機マイク（６０２）、管理室親機スピーカ（６０３）を有する管理室親機（６０）と、前記集合玄関機、前記居室親機、前記管理室親機を制御する制御機（８０）と、共用部に設置される共用部カメラ（７０）とを設け、
前記管理室親機は、共用部カメラ用モニタボタン（６１０）を操作したとき前記集合玄関スピーカから、前記訪問者にカメラ撮像を意識させるための擬似シャッター音を出力する擬似シャッター音出力手段（６０８）を備えたことを特徴とするインターホンシステム。
【請求項９】
エントランスに設置され、訪問者により操作される操作部（５０２）、通話のための集合玄関マイク（５０３）、集合玄関スピーカ（５０４）を有する集合玄関機（５０）と、室内に設置され前記集合玄関機から呼び出され、応答して通話するための居室親機マイク（４０１）、居室親機スピーカ（４０２）を有する居室親機（４０）と、管理室に設置され前記集合玄関機または前記居室親機と通話のための管理室親機マイク（６０２）、管理室親機スピーカ（６０３）を有する管理室親機（６０）と、前記集合玄関機、前記居室親機、前記管理室親機を制御する制御機（８０）と、共用部に設置される共用部カメラ（７０）とを設け、
前記共用部カメラには人感センサ（７０３）を備え、
前記管理室親機は、前記共用部カメラの人感センサが感知したとき共用部カメラスピーカ（７０２）から、前記訪問者にカメラ撮像を意識させるための擬似シャッター音を出力する擬似シャッター音出力手段（６０８）を備えたことを特徴とするインターホンシステム。
【請求項１０】
前記人感センサが所定時間以上感知したとき前記擬似シャッター音出力手段により擬似シャッター音を出力することを特徴とする請求項９記載のインターホンシステム。
【請求項１１】
前記親機には、前記擬似シャッター音出力手段により擬似シャッター音を出力する子機を予め選択設定するための選択設定手段（２１１、２１２）を備えたことを特徴とする請求項１乃至請求項４何れか１項記載のインターホンシステム。
【請求項１２】
前記親機には、前記擬似シャッター音出力手段により擬似シャッター音を出力する人感センサ付カメラを予め選択設定するための選択設定手段（２１１、２１２）を備えたことを特徴とする請求項５乃至請求項７何れか１項記載のインターホンシステム。
【請求項１３】
前記管理室親機には、前記擬似シャッター音出力手段により擬似シャッター音を出力する共用部カメラを予め選択設定するための選択設定手段（６１１、６１２）を備えたことを特徴とする請求項８乃至請求項１０何れか１項記載のインターホンシステム。
【請求項１４】
前記擬似シャッター音出力手段の機能を禁止させる擬似シャッター音禁止手段（２１１、２１２、６１１、６１２）を備えたことを特徴とする請求項１乃至請求項１３何れか１項記載のインターホンシステム。
【請求項１５】
前記擬似シャッター音出力手段を有効とする時間帯を設定する時間帯設定手段（２１１、２１２、６１１、６１２）を備えたことを特徴とする請求項１乃至請求項１４何れか１項記載のインターホンシステム。
【請求項１６】
前記擬似シャッター音出力手段を有効とする警戒設定モードを設定する警戒設定手段（２１１、２１２、６１１、６１２）を備えたことを特徴とする請求項１乃至請求項１５何れか１項記載のインターホンシステム。
【請求項１７】
複数枚録画の場合には、録画タイミング毎に前記擬似シャッター音出力手段から擬似シャッター音を出力させることを特徴とする請求項１乃至請求項１６何れか１項記載のインターホンシステム。
【請求項１８】
モニタ起動中時のみ前記擬似シャッター音出力手段から擬似シャッター音を出力させることが可能な擬似シャッター音出力ボタン（２０９、６０９）を備えたことを特徴とする請求項１乃至請求項１７何れか１項記載のインターホンシステム。
【発明の詳細な説明】
【技術分野】
【０００１】
本発明はインターホンシステムに係り、特に子機、人感センサ付カメラあるいは共用部カメラが撮像する時に、撮像を開始した機器のスピーカから擬似シャッター音を出力させるインターホンシステムに関する。
【背景技術】
【０００２】
従来から、この種のインターホンシステムとして、玄関先に設置され当該玄関先を撮像するカメラ付ドアホン子機と、室内に設置されカメラ付ドアホン子機の撮像した映像を映し出すと共にカメラ付ドアホン子機との間で通話を行うモニタテレビ付インターホン親機とを２線式信号線で接続したテレビインターホンシステムが開示されている（例えば、特許文献１参照）。
【０００３】
このテレビインターホンシステムは、来訪者がカメラ付ドアホン子機の呼出ボタンを操作すると、モニタテレビ付インターホン親機で呼出音が出力され、モニタテレビにドアホン子機のカメラで撮像した来訪者の映像が映し出される。居住者がモニタテレビで来訪者を確認後、来訪者からの呼び出しに応答するためにモニタテレビ付インターホン親機で応答操作すると、カメラ付ドアホン子機とモニタテレビ付インターホン親機との間で通話路が成立するので、来訪者と居住者は通話ができるようになる。
【０００４】
また、カメラ付ドアホン子機は人感センサを設けているので、この人感センサが予め定められた時間内で人を検知した場合には、カメラ付ドアホン子機は撮像を開始し、モニタテレビ付インターホン親機に対して人を検知したことを報知すると共に、ドアホン子機のカメラで撮像した映像をインターホン親機のモニタテレビに映し出すことができる。
【０００５】
【特許文献１】特開平１１−２２５３２７号公報
【発明の開示】
【発明が解決しようとする課題】
【０００６】
しかしながら、背景技術に記載したインターホンシステムでは、呼出ボタンを操作したときや人感センサが検出したときにドアホン子機のカメラで来訪者や不審者等を撮像することができるが、インターホン親機で録画するなどといった動作がなされるのみであって、撮像していることを不審者等に認識させることができなかった。
【０００７】
本発明は、このような従来の難点を解決するためになされたもので、子機、人感センサ付カメラあるいは共用部カメラが撮像する時に、撮像を開始した機器のスピーカから擬似シャッター音を出力させることでセキュリティ性を向上させることができるインターホンシステムを提供することを目的とする。
【課題を解決するための手段】
【０００８】
上述の目的を達成する本発明の第１の態様であるインターホンシステムは、玄関に設置され、親機呼び出しのため訪問者により操作される呼出ボタン、通話のための子機マイク、子機スピーカを有する子機と、室内に設置され、子機から呼び出され、応答して通話するための親機マイク、親機スピーカを有する親機とを設け、親機は、子機で呼出ボタンが操作されたとき子機スピーカから、訪問者にカメラ撮像を意識させるための擬似シャッター音を出力する擬似シャッター音出力手段を備えたものである。
【０００９】
このような第１の態様によるインターホンシステムによれば、呼出ボタンを操作したときに子機スピーカから擬似シャッター音を出力するので、不審者が留守かどうかを確認するために呼出ボタンを操作した場合に、この擬似シャッター音により立ち去っていくなどの防犯効果を得ることができる。したがって、システムのセキュリティ性が向上する。
【００１０】
上述の目的を達成する本発明の第２の態様であるインターホンシステムは、玄関に設置され、親機呼び出しのため訪問者により操作される呼出ボタン、通話のための子機マイク、子機スピーカを有する子機と、室内に設置され、子機から呼び出され、応答して通話するための親機マイク、親機スピーカを有する親機とを設け、親機は、親機の子機用モニタボタンを操作したとき子機スピーカから、訪問者にカメラ撮像を意識させるための擬似シャッター音を出力する擬似シャッター音出力手段を備えたものである。
【００１１】
このような第２の態様によるインターホンシステムによれば、子機用モニタボタンを操作すると、親機の操作により子機スピーカから擬似シャッター音を出力させることができるので、不審者が留守かどうかを確認するために玄関の周りをうろついている場合でも、擬似シャッター音により立ち去っていくなどの防犯効果を得ることができる。したがって、システムのセキュリティ性が向上する。
【００１２】
上述の目的を達成する本発明の第３の態様であるインターホンシステムは、玄関に設置され、親機呼び出しのため訪問者により操作される呼出ボタン、通話のための子機マイク、子機スピーカを有する子機と、室内に設置され、子機から呼び出され、応答して通話するための親機マイク、親機スピーカを有する親機とを設け、子機には人感センサを備え、親機は、子機の人感センサが感知したとき子機スピーカから、訪問者にカメラ撮像を意識させるための擬似シャッター音を出力する擬似シャッター音出力手段を備えたものである。
【００１３】
このような第３の態様によるインターホンシステムによれば、人感センサが感知したときに子機スピーカから擬似シャッター音を出力するので、不審者が留守かどうかを確認するために玄関の周りをうろついている場合でも、擬似シャッター音により立ち去っていくなどの防犯効果を得ることができる。したがって、システムのセキュリティ性が向上する。
【００１４】
本発明の第４の態様は第３の態様であるインターホンシステムにおいて、人感センサが所定時間以上感知したとき擬似シャッター音出力手段により擬似シャッター音を出力するものである。このような第４の態様であるインターホンシステムによれば、単なる通りすがりの人に反応することを回避できるので、誤って子機スピーカから擬似シャッター音が出力することを防ぐことができる。
【００１５】
また、上述の目的を達成する本発明の第５の態様であるインターホンシステムは、玄関に設置され、親機呼び出しのため訪問者により操作される呼出ボタン、通話のための子機マイク、子機スピーカを有する子機と、室内に設置され、子機から呼び出され、応答して通話するための親機マイク、親機スピーカを有する親機と、人感センサ付カメラとを設け、親機は、人感センサ付カメラ用モニタボタンを操作したとき人感センサ付カメラのスピーカから、訪問者にカメラ撮像を意識させるための擬似シャッター音を出力する擬似シャッター音出力手段を備えたものである。
【００１６】
このような第５の態様によるインターホンシステムによれば、親機の人感センサ付カメラ用モニタボタンを操作したときに人感センサ付カメラのスピーカから擬似シャッター音を出力するので、不審者が留守かどうかを確認するために玄関の周りをうろついている場合でも、擬似シャッター音により立ち去っていくなどの防犯効果を得ることができる。したがって、システムのセキュリティ性が向上する。
【００１７】
また、上述の目的を達成する本発明の第６の態様であるインターホンシステムは、玄関に設置され、親機呼び出しのため訪問者により操作される呼出ボタン、通話のための子機マイク、子機スピーカを有する子機と、室内に設置され、子機から呼び出され、応答して通話するための親機マイク、親機スピーカを有する親機と、人感センサ付カメラとを設け、親機は、人感センサ付カメラの人感センサが感知したとき人感センサ付カメラのスピーカから、訪問者にカメラ撮像を意識させるための擬似シャッター音を出力する擬似シャッター音出力手段を備えたものである。
【００１８】
このような第６の態様によるインターホンシステムによれば、人感センサ付カメラの人感センサが感知したときに人感センサ付カメラのスピーカから擬似シャッター音を出力するので、不審者が留守かどうかを確認するために玄関の周りをうろついている場合でも、擬似シャッター音により立ち去っていくなど防犯効果を得ることができる。したがって、システムのセキュリティ性が向上する。
【００１９】
本発明の第７の態様は第６の態様であるインターホンシステムにおいて、人感センサが所定時間以上感知したとき擬似シャッター音出力手段により擬似シャッター音を出力するものである。このような第７の態様によるインターホンシステムによれば、単なる通りすがりの人に反応することを回避できるので、誤って人感センサ付カメラのスピーカから擬似シャッター音が出力することを防ぐことができる。
【００２０】
また、上述の目的を達成する本発明の第８の態様であるインターホンシステムは、エントランスに設置され、訪問者により操作される操作部、通話のための集合玄関マイク、集合玄関スピーカを有する集合玄関機と、室内に設置され集合玄関機から呼び出され、応答して通話するための居室親機マイク、居室親機スピーカを有する居室親機と、管理室に設置され集合玄関機または居室親機と通話のための管理室親機マイク、管理室親機スピーカを有する管理室親機と、集合玄関機、居室親機、管理室親機を制御する制御機と、共用部に設置される共用部カメラとを設け、管理室親機は、共用部カメラ用モニタボタンを操作したとき集合玄関スピーカから、訪問者にカメラ撮像を意識させるための擬似シャッター音を出力する擬似シャッター音出力手段を備えたものである。
【００２１】
このような第８の態様によるインターホンシステムによれば、共用部カメラ用モニタボタンを操作すると、親機の操作により集合玄関スピーカから擬似シャッター音を出力させることができるので、不審者が留守かどうかを確認するために玄関の周りをうろついている場合でも、擬似シャッター音により立ち去っていくなどの防犯効果を得ることができる。したがって、システムのセキュリティ性が向上する。
【００２２】
また、上述の目的を達成する本発明の第９の態様であるインターホンシステムは、エントランスに設置され、訪問者により操作される操作部、通話のための集合玄関マイク、集合玄関スピーカを有する集合玄関機と、室内に設置され集合玄関機から呼び出され、応答して通話するための居室親機マイク、居室親機スピーカを有する居室親機と、管理室に設置され集合玄関機または居室親機と通話のための管理室親機マイク、管理室親機スピーカを有する管理室親機と、集合玄関機、居室親機、管理室親機を制御する制御機と、共用部に設置される共用部カメラとを設け、共用部カメラには人感センサを備え、管理室親機は、共用部カメラの人感センサが感知したとき共用部カメラスピーカから、訪問者にカメラ撮像を意識させるための擬似シャッター音を出力する擬似シャッター音出力手段を備えたものである。
【００２３】
このような第９の態様によるインターホンシステムによれば、共用部カメラの人感センサが感知したときに共用部カメラスピーカから擬似シャッター音を出力するので、不審者が留守かどうかを確認するために玄関の周りをうろついている場合でも、擬似シャッター音により立ち去っていくなどの防犯効果を得ることができる。したがって、システムのセキュリティ性が向上する。
【００２４】
本発明の第１０の態様は第９の態様であるインターホンシステムにおいて、人感センサが所定時間以上感知したとき擬似シャッター音出力手段により擬似シャッター音を出力するものである。このような第１０の態様によるインターホンシステムによれば、単なる通りすがりの人に反応することを回避できるので、誤って共用部カメラスピーカから擬似シャッター音が出力することを防ぐことができる。
【００２５】
本発明の第１１の態様は第１の態様乃至第４の態様であるインターホンシステムにおいて、親機には、擬似シャッター音出力手段により擬似シャッター音を出力する子機を予め選択設定するための選択設定手段を備えたものである。また、本発明の第１２の態様は第５の態様乃至第７の態様であるインターホンシステムにおいて、親機には、擬似シャッター音出力手段により擬似シャッター音を出力する人感センサ付カメラを予め選択設定するための選択設定手段を備えたものである。また、本発明の第１３の態様は第８の態様乃至第１０の態様であるインターホンシステムにおいて、管理室親機には、擬似シャッター音出力手段により擬似シャッター音を出力する共用部カメラを予め選択設定するための選択設定手段を備えたものである。
【００２６】
このような第１１乃至第１３の態様によるインターホンシステムによれば、複数設けられた子機、センサカメラまたは共用部カメラの中から、擬似シャッター音を出力する対象を選択することができ、特に重要な場所のみ擬似シャッター音を出力させることも可能となる。
【００２７】
本発明の第１４の態様は第１の態様乃至第１３の態様であるインターホンシステムの何れかにおいて、擬似シャッター音出力手段の機能を禁止させる擬似シャッター音禁止手段を備えたものである。このような第１４の態様によるインターホンシステムによれば、擬似シャッター音を出力するか否かをユーザーが選択することが可能となる。
【００２８】
本発明の第１５の態様は第１の態様乃至第１４の態様であるインターホンシステムの何れかにおいて、擬似シャッター音出力手段を有効とする時間帯を設定する時間帯設定手段を備えたものである。このような第１５の態様によるインターホンシステムによれば、特定の時間帯のみ擬似シャッター音を出力させることができるので例えば深夜帯のみ擬似シャッター音を出力させることも可能となる。
【００２９】
本発明の第１６の態様は第１の態様乃至第１５の態様であるインターホンシステムの何れかにおいて、擬似シャッター音出力手段を有効とする警戒設定モードを設定する警戒設定手段を備えたものである。このような第１６の態様によるインターホンシステムによれば、擬似シャッター音出力手段を警戒設定モードと連動させることができ、留守中や就寝中のみ擬似シャッター音を出力させることも可能となる。
【００３０】
本発明の第１７の態様は第１の態様乃至第１６の態様であるインターホンシステムの何れかにおいて、複数枚録画の場合には、録画タイミング毎に擬似シャッター音出力手段から擬似シャッター音を出力させるものである。このような第１７の態様によるインターホンシステムによれば、複数枚録画（撮像）する場合にその都度、擬似シャッター音を出力させることができるので、その音に反応した不審者や訪問者の映像を確実にとらえることができる。
【００３１】
本発明の第１８の態様は第１の態様乃至第１７の態様であるインターホンシステムの何れかにおいて、モニタ起動中時のみ擬似シャッター音出力手段から擬似シャッター音を出力させることが可能な擬似シャッター音出力ボタンを備えたものである。このような第１８の態様によるインターホンシステムによれば、モニタ起動中のみ有効な擬似シャッター音出力ボタンを備えたので、映像を確認しながら擬似シャッター音を出力させることができる。なお、モニタ起動中とは単にモニタ中のみではなく、通話中も含まれる。
【発明の効果】
【００３２】
本発明によれば、子機または人感センサ付カメラが撮像する時に、撮像を開始した機器のスピーカから擬似シャッター音を出力させることができる。また、本発明によれば、システムのセキュリティ性を向上させることができる。
【発明を実施するための最良の形態】
【００３３】
以下、本発明を実施するための最良の実施形態について、図面を参照して説明する。参照する図１は、本発明のインターホンシステムを示す図で、（Ａ）はシステム構成図、（Ｂ）は親機のブロック図である。
【００３４】
本発明の好ましい実施の形態例であるインターホンシステムは図１（Ａ）に示すように、玄関などの戸外に設置され訪問者をカメラ１０６で撮像する複数の子機１０と、室内に設置され子機１０のカメラ１０６で撮像した映像をモニタ２０１に映し出す親機２０とを備え、複数の子機１０と親機２０とはそれぞれ接続ラインＬ１で接続されている。
【００３５】
子機１０は、カメラ１０６と共に、来客を親機２０に知らせる呼出ボタン１０１と、親機２０と通話を行うための子機マイク１０２、子機スピーカ１０３とを備えている。なお、この子機１０には、子機１０の近傍に人体が存在していることを感知するための人感センサ１０４を備えている。
【００３６】
親機２０は、モニタ２０１と共に、子機１０と通話を行うための親機マイク２０２、親機スピーカ２０３と、訪問者と通話および終話を行うための通話ボタン２０４とを備えている。なお、親機スピーカ２０３は子機１０から呼び出しがあったことを知らせる呼出スピーカも兼ねている。
【００３７】
この親機２０は図１（Ｂ）に示すように、さらに、録画メモリ２０７、擬似シャッター音メモリ２０８、擬似シャッター音出力ボタン２０９、子機用モニタボタン２１０、設定手段２１１、設定メモリ２１２および制御回路２１３を備えている。録画メモリ２０７は、子機１０のカメラ１０６で撮像した映像を静止画または動画として記憶するものである。擬似シャッター音メモリ２０８は、擬似シャッター音出力手段として機能するもので、訪問者にカメラ撮像を意識させるための擬似シャッター音を子機スピーカ１０３から出力させるために、擬似シャッター音データを記憶させておくものである。この擬似シャッター音は、近年、携帯電話に組み込まれたカメラで撮像する場合に使用されているが、自らが撮像しようとしたときのみ擬似シャッター音を出力するものであるので、インターホンシステムには対応できないものである。このような技術として例えば特開２００４−１６３５６３号公報が開示されている。擬似シャッター音出力ボタン２０９は、子機スピーカ２０３から擬似シャッター音を出力させるものであって、モニタ起動中（モニタ時、通話時）のみ有効となり、モニタしながら必要に応じて擬似シャッター音を出力することができる。子機用モニタボタン２１０は、不審な音などを確認した居住者が住居外の様子をモニタするために、子機１０のカメラ１０６を駆動するためのものである。設定手段２１１は、擬似シャッター音について設定するもので、擬似シャッター音設定スイッチやモニタ２０１に設けられたタッチパネル等が該当する。設定メモリ２１２は、設定手段２１１で設定した内容を記憶するものである。制御回路２１３は、親機２０を制御するものでＣＰＵ等が用いられる。
【００３８】
このような親機２０のモニタ２０１は復調回路２１４を介して親機インターフェース（以下、「ＩＦ」とする。）２１５に接続され、親機マイク２０２、親機スピーカ２０３は通話回路２１６を介して親機ＩＦ２１５に接続されている。また、通話ボタン２０４、録画メモリ２０７、擬似シャッター音メモリ２０８、擬似シャッター音出力ボタン２０９、子機用モニタボタン２１０、設定手段２１１および設定メモリ２１２はそれぞれ制御回路２１３に接続されている。さらに、親機ＩＦ２１５、復調回路２１４および通話回路２１６もそれぞれ制御回路２１３に接続されている。親機ＩＦ２１５には、子機１０に接続するための子機側ＩＦ２１５ａと、単独で設置されるカメラに接続するためのカメラ側ＩＦ２１５ｂとを有している。
【００３９】
このように構成されたインターホンシステム１の撮像を開始した機器のスピーカから擬似シャッター音を出力させるための動作について、以下説明する。
【００４０】
例えば、不審者が家に居住者がいるかを確認するために、何れかの子機１０の呼出ボタン１０１を押下して呼び出しを行うと、呼出信号が親機２０の親機ＩＦ２１５に送信され、親機ＩＦ２１５の子機側ＩＦ２１５ａはその呼出信号を制御回路２１３に送出する。制御回路２１３は、この呼出信号を検出すると呼出音信号を呼出スピーカ２０２に送出するので、呼出スピーカ２０２から呼出音を出力すると共に子機１０のカメラ１０６等を駆動する電源（図示せず）を子機１０に供給する。
【００４１】
また、制御回路２１３は、擬似シャッター音を子機１０の子機スピーカ１０３から出力するために、擬似シャッター音メモリ２０８から擬似シャッター音データを読み出して、呼び出しを行った子機１０に親機ＩＦ２１５の子機側ＩＦ２１５ａから伝送ラインＬ１を介して伝送する。子機１０は擬似シャッター音データを受信後、子機スピーカ１０３から擬似シャッター音を出力する。これにより、通常の訪問者であればその後の通話等を行うが、不審者であればこの擬似シャッター音により録画されたことを認識して立ち去る可能性が高くなる。したがって、システムのセキュリティ性が向上する。なお、ここで撮像された映像は、静止画または動画として親機２０の録画メモリ２０７に記憶される。これにより、後で再生することができるので、さらに防犯効果が高まる。
【００４２】
また、不審な音などを確認した居住者が住居外の様子を子機１０のカメラ１０６を使用してモニタするために、親機２０の子機用モニタボタン２１０を操作すると、子機モニタ信号が制御回路２１３で検出される。制御回路２１３はこの子機モニタ信号に基づき子機１０のカメラ１０６を駆動するための電源（図示せず）を各子機１０に供給する。また、制御回路２１３は子機モニタ信号を検出すると、この子機モニタ信号に基づき擬似シャッター音メモリ２０８から擬似シャッター音データを読み出して、各子機１０に親機ＩＦ２１５の子機側ＩＦ２１５ａから伝送ラインＬ１を介して伝送する。各子機１０は擬似シャッター音データを受信すると、子機スピーカ１０３から擬似シャッター音を出力する。これにより、不審者であれば、この音により録画されたことを認識して立ち去る可能性が高くなる。したがって、システムのセキュリティ性が向上する。なお、ここで撮像された映像は、静止画または動画として親機２０の録画メモリ２０７に記憶される。これにより、後で再生することができるので、さらに防犯効果が高まる。
【００４３】
さらに、不審者等が玄関周辺をうろついている場合には、子機１０の人感センサ１０４がその不審者を感知するので、感知信号が親機２０の親機ＩＦ２１５に送信され、親機ＩＦ２１５の子機側ＩＦ２１５ａはその感知信号を制御回路２１３に送出する。制御回路２１３は、この感知信号を検出すると子機１０のカメラ１０６等を駆動する電源（図示せず）を、不審者を感知した子機１０に供給する。また、制御回路２１３は感知信号を検出すると、この感知信号に基づき擬似シャッター音メモリ２０８から擬似シャッター音データを読み出して、不審者を感知した子機１０に親機ＩＦ２１５の子機側ＩＦ２１５ａから伝送ラインＬ１を介して伝送する。不審者を感知した子機１０は擬似シャッター音データを受信すると、子機スピーカ１０３から擬似シャッター音を出力する。これにより、不審者であれば、この音により録画されたことを認識して立ち去る可能性が高くなる。したがって、システムのセキュリティ性が向上する。なお、ここで撮像された映像は、静止画または動画として親機２０の録画メモリ２０７に記憶される。これにより、後で再生することができるので、さらに防犯効果が高まる。
【００４４】
この子機１０の人感センサ１０４は、通行人であっても反応することも考えられるので、当該人感センサ１０４が所定時間以上、継続して感知した場合に擬似シャッター音を子機スピーカ１０３から出力するように制御回路２１３で制御するようにするとよい。この場合、人感センサ１０４の検出時間の設定、計時は親機２０で行うとよい。例えば、モニタ２０１が有するタッチパネル等の操作部により検出時間を自由に設定し、その設定された検出時間に基づいて制御回路２１３で計時することが考えられる。
【００４５】
このような図１に示すインターホンシステム１は、擬似シャッター音出力手段により擬似シャッター音を出力する子機１０を予め選択設定するために、親機２０の設定手段２１１で選択設定し設定メモリ２１２にその設定内容を記憶させる。これにより、特に防犯対策に重要な場所のみ擬似シャッター音を出力させることも可能となる。
【００４６】
なお、上記実施例においては、子機１０の子機スピーカ１０３から擬似シャッター音を出力させていたが、これに限らず、図２に示すように、住居外の所定位置に設置することができる複数の人感センサ付カメラ３０を設けた場合には、その人感センサ付カメラ３０のスピーカ３０１から擬似シャッター音を出力させるとよい。これにより、子機１０が設置されている場所以外でもシステムのセキュリティ性を向上させることができる。この人感センサ付カメラ３０は図１（Ｂ）に示すように、親機２０の親機ＩＦ２１５のカメラ側ＩＦ２１５ｂに接続ラインＬ２を介して接続されている。また、モニタボタン２１０は、不審な音などを確認した居住者が住居外の様子をモニタするために、子機１０のカメラ１０１を駆動する子機カメラ用モニタボタンと、人感センサ付カメラ３０を駆動する人感センサ付カメラ用モニタボタンの２種類がある。
【００４７】
このようなインターホンシステム２において、不審な音などを確認した居住者が住居外の様子を人感センサ付カメラ３０を使用してモニタするために、親機２０の人感センサ付カメラ用モニタボタン２１０を操作すると、人感センサ付カメラ用モニタ信号が親機２０の制御回路２１３で検出される。制御回路２１３はこの人感センサ付カメラ用モニタ信号に基づき人感センサ付カメラ３０を駆動するための電源（図示せず）を供給する。また、制御回路２１３は人感センサ付カメラ用モニタ信号を検出すると、この人感センサ付カメラ用モニタ信号に基づき擬似シャッター音メモリ２０８から擬似シャッター音データを読み出して、各人感センサ付カメラ３０に親機ＩＦ２１５のカメラ側ＩＦ２１５ｂから伝送ラインＬ２を介して伝送する。人感センサ付カメラ３０は、この擬似シャッター音データに基づきスピーカ３０１から擬似シャッター音を出力する。これにより、不審者であれば、この音により録画されたことを認識して立ち去る可能性が高くなる。したがって、システムのセキュリティ性が向上する。なお、ここで撮像された映像は、静止画または動画として親機２０の録画メモリ２０７に記憶される。これにより、後で再生することができるので、さらに防犯効果が高まる。
【００４８】
また、不審者が人感センサ付カメラ３０の周辺をうろついている場合には、人感センサ付カメラ３０の人感センサ３０２がその不審者を感知するので、感知信号が親機２０の親機ＩＦ２１５に送信され、親機ＩＦ２１５のカメラ側ＩＦ２１５ｂはその感知信号を制御回路２１３に送出する。制御回路２１３は、この感知信号を検出すると不審者を感知した人感センサ付カメラ３０を駆動する電源（図示せず）を供給する。また、制御回路２１３は感知信号を検出すると、この感知信号に基づき擬似シャッター音メモリ２０８から擬似シャッター音データを読み出して、不審者を感知した人感センサ付カメラ３０に親機ＩＦ２１５のカメラ側ＩＦ２１５ｂから伝送ラインＬ２を介して伝送する。不審者を感知した人感センサ付カメラ３０は擬似シャッター音データに基づきスピーカ３０１から擬似シャッター音を出力する。これにより、不審者であれば、この音により録画されたことを認識して立ち去る可能性が高くなる。したがって、システムのセキュリティ性が向上する。なお、ここで撮像された映像は、静止画または動画として親機２０の録画メモリ２０７に記憶される。これにより、後で再生することができるので、さらに防犯効果が高まる。
【００４９】
この人感センサ付カメラ３０の人感センサ３０２は、通行人であっても反応することも考えられるので、当該人感センサ３０２が所定時間以上、継続して感知した場合に擬似シャッター音を出力するように親機２０の制御回路２１３で制御するようにするとよい。
【００５０】
なお、人感センサ付カメラ３０は、センサライト３０３を備えたものであれば、擬似シャッター音の送出とともにセンサライト３０３が発光するようにすればなお効果的である。また、不審者に防犯中であることを認識させるために、各動作（操作）に連動して、人感センサ付カメラ３０のＬＥＤ３０４を点滅させてもよい。また、別途、モニタを設けて「録画中」等の表示をさせるようにしてもよい。
【００５１】
このような図２に示すインターホンシステム２は、擬似シャッター音出力手段により擬似シャッター音を出力する人感センサ付カメラ３０を予め選択設定するために、親機２０の設定手段２１１で選択設定し設定メモリ２１２にその設定内容を記憶させる。これにより、特に防犯対策に重要な場所のみ擬似シャッター音を出力させることも可能となる。
【００５２】
なお、図１、図２に示すインターホンシステム１、２は、擬似シャッター音を出力する構成のみ記載したが、これに限らず、擬似シャッター音出力手段の機能を禁止させる擬似シャッター音禁止手段を備えてもよい。擬似シャッター音禁止手段は、親機２０の設定手段２１１と設定メモリ２１２から成り、居住者が擬似シャッター音出力手段の機能を禁止させるように設定手段２１１で設定し設定メモリ２１２にその設定内容を記憶させる。これにより、擬似シャッター音を出力するか否かをユーザーが選択することが可能となる。
【００５３】
また、図１、図２に示すインターホンシステム１、２は、擬似シャッター音出力手段を有効とする時間帯を設定する時間帯設定手段を備えてもよい。時間帯設定手段は、親機２０の設定手段２１１と設定メモリ２１２から成り、居住者が擬似シャッター音出力手段を有効とする時間帯を設定手段２１１で設定し設定メモリ２１２にその設定内容を記憶させる。これにより、特定の時間帯のみ擬似シャッター音を出力させることができるので例えば深夜帯のみ擬似シャッター音を出力させることも可能となる。
【００５４】
また、図１、図２に示すインターホンシステム１、２は、擬似シャッター音出力手段を有効とする警戒設定モードを設定する警戒設定手段を備えてもよい。警戒設定手段は、親機２０の設定手段２１１と設定メモリ２１２から成り、居住者が擬似シャッター音出力手段を有効とする警戒設定モードを設定手段２１１で設定し設定メモリ２１２にその設定内容を記憶させる。これにより、擬似シャッター音出力手段を警戒設定モードと連動させることができ、留守中や就寝中のみ擬似シャッター音を出力させることも可能となる。
【００５５】
次に、擬似シャッター音出力手段を集合住宅インターホンシステムに適用した場合について説明する。参照する図３は、本発明の集合住宅インターホンシステムを示す図で、（Ａ）はシステム構成図、（Ｂ）は親機のブロック図である。
【００５６】
本発明の好ましい実施の形態例であるインターホンシステムは図３（Ａ）に示すように、住戸内に設置される複数の居室親機４０と、エントランスに設置され、居室親機４０との通話を行なう集合玄関機５０と、管理室に設置され居室親機４０および集合玄関機５０と通話を行なう管理室親機６０と、集合住宅の共用部に設置される複数の共用部カメラ７０と、居室親機４０、集合玄関機５０、管理室親機６０および共用部カメラ７０を制御する制御機８０とを備えている。複数の居室親機４０は接続ラインＬ３にバス接続されており、接続ラインＬ３は制御機８０に接続されている。集合玄関機５０は接続ラインＬ４を介して制御機８０に接続され、管理室親機６０は接続ラインＬ５を介して制御機８０に接続され、複数の共用部カメラ７０はそれぞれ接続ラインＬ６を介して制御機８０に接続されている。なお、共用部カメラ７０は、共用部であるエレベーターホール、自転車置場、駐車場等に設置されている。
【００５７】
居室親機４０は、集合玄関機５０から呼び出され、応答して通話するための居室親機マイク４０１、居室親機スピーカ４０２などを備えている。集合玄関機５０は、訪問者を撮像するカメラ５０１と、訪問者により操作される操作部５０２と、通話のための集合玄関マイク５０３、集合玄関スピーカ５０４と、その他の構成部品とを備えている。
【００５８】
管理室親機６０は、集合玄関機５０のカメラ５０１で撮像した映像を映し出すモニタ６０１と、集合玄関機５０と通話を行うための管理室親機マイク６０２、管理室親機スピーカ６０３と、訪問者と通話および終話を行うための通話ボタン６０４とを備えている。なお、管理室親機スピーカ６０３は集合玄関機５０から呼び出しがあったことを知らせる呼出スピーカも兼ねている。
【００５９】
この管理室親機６０は図３（Ｂ）に示すように、図１（Ｂ）に示す親機２０と同様の構成で、録画メモリ６０７、擬似シャッター音メモリ６０８、擬似シャッター音出力ボタン６０９、共用部カメラ用モニタボタン６１０、設定手段６１１、設定メモリ６１２および制御回路６１３を備えている。録画メモリ６０７は、集合玄関機５０のカメラ５０１で撮像した映像を静止画または動画として記憶するものである。擬似シャッター音メモリ６０８は、擬似シャッター音出力手段として機能するもので、訪問者にカメラ撮像を意識させるための擬似シャッター音を集合玄関機５０のスピーカ５０４から出力させるために、当該擬似シャッター音のデータを記憶させておくものである。擬似シャッター音出力ボタン６０９は、集合玄関機５０のスピーカ５０４から擬似シャッター音を出力させると共に、モニタ起動中（モニタ時、通話時）のみ有効となるもので、モニタしながら必要に応じて擬似シャッター音を出力することができる。共用部カメラ用モニタボタン６１０は、居住者がエントランスの様子をモニタするために、集合玄関機５のカメラ５０１を駆動するためのものである。設定手段６１１は、擬似シャッター音について設定するもので、擬似シャッター音設定スイッチやモニタ６０１に設けられたタッチパネル等が該当する。設定メモリ６１２は、設定手段６１１で設定した内容を記憶するものである。制御回路６１３は、集合玄関機５０を制御するものでＣＰＵ等が用いられる。
【００６０】
このような管理室親機６０のモニタ６０１は復調回路６１４を介して管理室親機ＩＦ６１５に接続され、管理室親機マイク６０２、管理室親機スピーカ６０３は通話回路６１６を介して管理室親機ＩＦ６１５に接続されている。また、通話ボタン６０４、録画メモリ６０７、擬似シャッター音メモリ６０８、擬似シャッター音出力ボタン６０９、共用部カメラ用モニタボタン６１０、設定手段６１１および設定メモリ６１２はそれぞれ制御回路６１３に接続されている。さらに、管理室親機ＩＦ６１５、復調回路６１４および通話回路６１６もそれぞれ制御回路６１３に接続されている。管理室親機ＩＦ６１５には、集合玄関機５０に接続するための集合玄関機側ＩＦ６１５ａと、単独で設置されるカメラに接続するためのカメラ側ＩＦ６１５ｂとを有している。なお、擬似シャッター音メモリ６０８は制御機８０にあってもよい。
【００６１】
また、共用部カメラ７０は図３（Ａ）に示すように、カメラ７００と共に、管理室親機６０と通話を行うための共用部カメラマイク７０１、共用部カメラスピーカ７０２と、共用部カメラ７０の近傍に人体が存在していることを感知するための人感センサ７０３と、点滅用のＬＥＤ７０４とを備えている。
【００６２】
このように構成されたインターホンシステム３の撮像を開始した機器のスピーカから擬似シャッター音を出力させるための動作について、以下説明する。
【００６３】
定期的に集合住宅の共用部を監視するために管理人が管理室親機６０の共用部カメラ用モニタボタン６１０を操作すると、共用部モニタ信号が制御回路６１３で検出される。制御回路６１３はこの共用部モニタ信号に基づき共用部カメラ７０を駆動するための電源（図示せず）を供給する。また、制御回路６１３は共用部モニタ信号を検出すると、この共用部モニタ信号に基づき擬似シャッター音メモリ６０８から擬似シャッター音データを読み出して、共用部カメラ７０に管理室親機ＩＦ６１５のカメラ側ＩＦ６１５ｂから伝送ラインＬ６を介して伝送する。共用部カメラ７０は擬似シャッター音データに基づきスピーカ７０２から擬似シャッター音を出力する。これにより、不審者であれば、この音により録画されたことを認識して立ち去る可能性が高くなる。したがって、システムのセキュリティ性が向上する。なお、ここで撮像された映像は、静止画または動画として管理室親機６０の録画メモリ６０７に記憶される。これにより、後で再生することができるので、さらに防犯効果が高まる。
【００６４】
また、不審者等が何れかの共用部カメラ７０の周辺をうろついている場合には、共用部カメラ７０の人感センサ７０３がその不審者を感知するので、感知信号が管理室親機６０の管理室親機ＩＦ６１５に送信され、管理室親機ＩＦ６１５のカメラ側ＩＦ６１５ｂはその感知信号を制御回路６１３に送出する。制御回路６１３は、この感知信号を検出すると共用部カメラ７０のカメラ７００を駆動する電源（図示せず）を供給する。また、制御回路６１３は感知信号を検出すると、この感知信号に基づき擬似シャッター音メモリ６０８から擬似シャッター音データを読み出して、共用部カメラ７０に管理室親機ＩＦ６１５のカメラ側ＩＦ６１５ｂから伝送ラインＬ６を介して伝送する。共用部カメラ７０は擬似シャッター音データに基づきスピーカ７０２から擬似シャッター音を出力する。これにより、不審者であれば、この音により録画されたことを認識して立ち去る可能性が高くなる。したがって、システムのセキュリティ性が向上する。なお、ここで撮像された映像は、静止画または動画として管理室親機６０の録画メモリ６０７に記憶される。これにより、後で再生することができるので、さらに防犯効果が高まる。
【００６５】
この共用部カメラ７０の人感センサ７０３は、通行人であっても反応することも考えられるので、当該人感センサ７０３が所定時間以上、継続して感知した場合に擬似シャッター音を出力するように管理室親機６０の制御回路６１３で制御するようにするとよい。この場合、人感センサ７０３の検出時間の設定、計時は管理室親機６０で行うとよい。例えば、管理室親機６０のモニタ６０１が有するタッチパネル等の操作部により検出時間を自由に設定し、その設定された検出時間に基いて制御回路６１３で計時することが考えられる。
【００６６】
このような図３に示す集合住宅インターホンシステム３は、擬似シャッター音出力手段により擬似シャッター音を出力する共用部カメラ７０を予め選択設定するために、管理室親機６０の設定手段６１１で選択設定し設定メモリ６１２にその設定内容を記憶させる。これにより、特に防犯対策に重要な場所のみ擬似シャッター音を出力させることも可能となる。
【００６７】
なお、共用部カメラ７０は、センサライト７０５を備えたものであれば、擬似シャッター音の送出とともにセンサライト７０５が発光するようにすればなお効果的である。また、不審者に防犯中であることを認識させるために各動作（操作）に連動してＬＥＤ７０４を点滅させてもよい。また、別途、モニタを設けて「録画中」等の表示をさせるようにしてもよい。
【００６８】
このような集合住宅インターホンシステム３は、擬似シャッター音出力手段により擬似シャッター音を出力する共用部カメラ７０を予め選択設定するために、管理室親機６０の設定手段６１１で選択設定し設定メモリ６１２にその設定内容を記憶させる。これにより、特に防犯対策に重要な場所のみ擬似シャッター音を出力させることも可能となる。
【００６９】
また、集合住宅インターホンシステム３は、擬似シャッター音を出力する構成のみ記載したが、これに限らず、擬似シャッター音出力手段の機能を禁止させる擬似シャッター音禁止手段を備えてもよい。擬似シャッター音禁止手段は、管理室親機６０の設定手段６１１と設定メモリ６１２から成り、管理人が擬似シャッター音出力手段の機能を禁止させるように設定手段６１１で設定し設定メモリ６１２にその設定内容を記憶させる。これにより、擬似シャッター音を出力するか否かを管理人が選択することが可能となる。
【００７０】
また、集合住宅インターホンシステム３は、擬似シャッター音出力手段を有効とする時間帯を設定する時間帯設定手段を備えてもよい。時間帯設定手段は、管理室親機６０の設定手段６１１と設定メモリ６１２から成り、管理人が擬似シャッター音出力手段を有効とする時間帯を設定手段６１１で設定し設定メモリ６１２にその設定内容を記憶させる。これにより、特定の時間帯のみ擬似シャッター音を出力させることができるので例えば深夜帯のみ擬似シャッター音を出力させることも可能となる。
【００７１】
また、集合住宅インターホンシステム３は、擬似シャッター音出力手段を有効とする警戒設定モードを設定する警戒設定手段を備えてもよい。警戒設定手段は、管理室親機６０の設定手段６１１と設定メモリ６１２から成り、管理人が擬似シャッター音出力手段を有効とする警戒設定モードを設定手段６１１で設定し設定メモリ６１２にその設定内容を記憶させる。これにより、擬似シャッター音出力手段を警戒設定モードと連動させることができ、留守中や就寝中のみ擬似シャッター音を出力させることも可能となる。
【００７２】
このような図１、図２、図３に示す各インターホンシステム１、２、３は、カメラで複数枚録画の場合には、録画タイミング毎にスピーカから擬似シャッター音を出力するように、制御回路で擬似シャッター音メモリから擬似シャッター音データを制御するようにしてもよい。
【００７３】
また、上述した各実施例においては、子機、人感センサ付カメラ、共用部カメラに本物のカメラを使用したもので説明しているが、不審者にシャッター音を聞かせることで防犯効果を高めることが目的であるので、ダミーのカメラを使用してもよい。また、親機、管理室親機もモニタが必須ではない。
【００７４】
また、図１、図２に示す子機１０にて呼出ボタン１０１の呼び出し操作によって擬似シャッター音を出力する場合には、親機２０の制御回路２１３の制御により呼出確認音が子機１０から出力された後に出力するとよい。これにより、呼出確認音と擬似シャッター音が混在することはなくなる。
【００７５】
また、上述した各実施例においては、擬似シャッター音メモリに記憶させた擬似シャッター音は、例えばＣＰＵからの電子音も含むものである。
【００７６】
また、上述した各実施例においては、親機２０、居室親機４０及び管理室親機６０はそれぞれ筐体に設けられたマイク、スピーカでハンズフリー通話を行えるようになっていたが、これに限らず、ハンドセットのマイク、スピーカによる通話ができるように構成してもよい。
【００７７】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００７８】
【図１】本発明のインターホンシステムにおける好ましい実施の形態例を示す図で、（Ａ）はシステム構成図、（Ｂ）は親機のブロック図である。
【図２】本発明のインターホンシステムにおける他の好ましい実施の形態例を示すシステム構成図である。
【図３】本発明のインターホンシステムにおける他の好ましい実施の形態例を示す図で、（Ａ）はシステム構成図、（Ｂ）は管理室親機のブロック図である。
【符号の説明】
【００７９】
１、２……インターホンシステム
１０……子機
１０１……呼出ボタン
１０２……子機マイク
１０３……子機スピーカ
１０４……人感センサ
２０……親機
２０２……親機マイク
２０３……親機スピーカ
２０８……擬似シャッター音出力手段
２０９……擬似シャッター音出力ボタン
２１０……子機用モニタボタン
２１１……設定手段（選択設定手段）
２１２……設定メモリ（選択設定手段）
３０……人感センサ付カメラ
３０１……スピーカ
３……インターホンシステム
４０……居室親機
４０１……居室親機マイク
４０２……居室親機スピーカ
５０……集合玄関機
５０２……操作部
５０３……集合玄関マイク
５０４……集合玄関スピーカ
６０……管理室親機
６０２……管理室親機マイク
６０３……管理室親機スピーカ
６０８……擬似シャッター音出力手段
６０９……擬似シャッター音出力ボタン
６１０……共用部カメラ用モニタボタン
６１１……設定手段（選択設定手段、擬似シャッター音禁止手段、時間帯設定手段、警戒設定手段）
６１２……設定メモリ（選択設定手段、擬似シャッター音禁止手段、時間帯設定手段、警戒設定手段）
７０……共用部カメラ
７０３……人感センサ
８０……制御機
【図１】
2007067794.tif 000003
【図２】
2007067794.tif 000004
【図３】
2007067794.tif 000005